(57)【要約】【課題】耳の形状によらずタッチノイズを低減できるイヤホンを提供する。【解決手段】イヤホン(51)は、スピーカユニット(SP)と、スピーカユニット(SP)を保持する本体部(1)及び本体部(1)から延出したコード(13)と、柔軟性を有し本体部(1)に連結すると共にコード(13)と交わる姿勢で延在する延在部(23)と、延在部(23)に形成されたコード(13)の幅よりも狭い幅の開口部(241)と開口部(241)と延在部(23)の外形縁部(232a)とを繋ぐスリット(242)とを含むコード係合部(24)と、を備え、コード(13)を、スリット(242)を通して開口部(241)に係合可能である。【選択図】図２
2020053853.tif 000002
【特許請求の範囲】
【請求項１】
本体部と前記本体部から延出するコードとを有するイヤホンの前記本体部に装着可能な基部と、
柔軟性を有し前記基部から延び出るように形成された延在部と、
前記延在部に形成され前記コードの幅よりも狭い幅の開口部と、前記開口部と前記延在部の外形縁部とを繋ぐスリットとを含むコード係合部と、
を備え、
前記基部を前記イヤホンの前記本体部に装着した状態で、前記延在部は、前記コードと交わる姿勢で延在し、前記コードを、前記スリットを通して前記開口部に係合可能とされているコード係合具。
【請求項２】
前記延在部は、前記コード係合部よりも先端側に貫通孔を有することを特徴とする請求項１記載のコード係合具。
【請求項３】
スピーカユニットと、
前記スピーカユニットを保持する本体部及び前記本体部から延出したコードと、
柔軟性を有し前記本体部に連結すると共に前記コードと交わる姿勢で延在する延在部と、
前記延在部に形成された前記コードの幅よりも狭い幅の開口部と、前記開口部と前記延在部の外形縁部とを繋ぐスリットとを含む係合部と、
を備え、
前記コードを、前記スリットを通して前記開口部に係合可能であるイヤホン。
【請求項４】
前記延在部は、前記係合部よりも先端側に貫通孔を有することを特徴とする請求項３記載のイヤホン。
【請求項５】
前記本体部を使用者の耳介に装着した状態で、
前記延在部は、前記本体部側から先端部に向かうに従って、前記コードに対し前記使用者の頭部から離れる方向で交わるよう延在することを特徴とする請求項３又は請求項４記載のイヤホン。
【発明の詳細な説明】
【技術分野】
【０００１】
本発明は、コード係合具及びそれを備えたイヤホンに関する。
【背景技術】
【０００２】
本体部を耳介に装着して使用するカナル型或いはインナイヤー型のイヤホンが知られている。特許文献１にはカナル型のイヤホンが記載されている。
【先行技術文献】
【特許文献】
【０００３】
【特許文献１】特許第３９２１２２９号公報
【発明の概要】
【発明が解決しようとする課題】
【０００４】
カナル型及びインナイヤー型のイヤホンは、コードが服に接触するなどして擦れた際に生じる振動が本体部に伝達され、タッチノイズと称される雑音として聞こえやすい。このタッチノイズは、コードを耳垂などに接触させると、本体部へ伝達する振動が吸収されるため低減することが知られている。
特許文献１に記載されたイヤホンは、コードが耳に直接的に接触する場合があるとされているものの、耳介形状には個人差もあるため、コードが耳に対し常に接触するものとは言えず、タッチノイズ低減の観点で改善の余地がある。
【０００５】
そこで、本発明が解決しようとする課題は、タッチノイズを低減できるコード係合具及びそれを備えたイヤホンを提供することにある。
【課題を解決するための手段】
【０００６】
上記の課題を解決するために、本発明は次の構成を有する。
１）  本体部と前記本体部から延出するコードとを有するイヤホンの前記本体部に装着可能な基部と、
柔軟性を有し前記基部から延び出るように形成された延在部と、
前記延在部に形成され前記コードの幅よりも狭い幅の開口部と、前記開口部と前記延在部の外形縁部とを繋ぐスリットとを含む係合部と、
を備え、
前記基部を前記イヤホンの前記本体部に装着した状態で、前記延在部は前記コードと交わる姿勢で延在し、前記コードを、前記スリットを通して前記開口部に係合可能とされているコード係合具である。
２）  スピーカユニットと、
前記スピーカユニットを保持する本体部及び前記本体部から延出したコードと、
柔軟性を有し前記本体部に連結すると共に前記コードと交わる姿勢で延在する延在部と、
前記延在部に形成された前記コードの幅よりも狭い幅の開口部と、前記開口部と前記延在部の外形縁部とを繋ぐスリットとを含む係合部と、
を備え、
前記コードを、前記スリットを通して前記開口部に係合可能であるイヤホンである。
【発明の効果】
【０００７】
本発明によれば、タッチノイズを低減できる。
【図面の簡単な説明】
【０００８】
【図１】図１は、本発明の実施の形態に係るイヤホンの実施例であるイヤホン５１を示す後面図である。
【図２】図２は、イヤホン５１の右側面図である。
【図３】図３は、イヤホン５１の組立図である。
【図４】図４は、イヤホン５１が備えるサポータ２の後面図である。
【図５】図５は、サポータ２の一部断面の右側面図である。
【図６】図６は、イヤホン５１に装飾具６を取り付けた状態を示す後面図である。
【図７】図７は、装飾具６Ａを取り付けたイヤホン５１を耳介Ｅに装着した状態を示す斜視図である。
【発明を実施するための形態】
【０００９】
本発明の実施の形態に係るイヤホンを、実施例のイヤホン５１によって説明する。以下の説明において、上下左右前後の各方向を、図１及び図２に記載された矢印の方向で規定する。この上下左右前後の各方向は、説明の便宜上規定するものであり、イヤホン５１の使用姿勢或いは組立姿勢を限定するものではない。
【００１０】
（実施例）
図１は、本発明の実施の形態に係るイヤホンの実施例であるイヤホン５１を示す後面図である。図２は、イヤホン５１の右側面図である。図３は、イヤホン５１の組立図である。図１〜図３に示されるように、イヤホン５１は、本体部１，サポータ２，イヤピース３，及びコード１３を備えている。ここで説明するイヤホン５１は右耳装着用であり、左耳装着用のイヤホンは、左右対称に形成される。
本体部１は、概ね樽状に形成された筐体１１及び筐体１１から下方に突出したコードブッシュ１２を有する。コード１３は、コードブッシュ１２の先端から下方に延び出ている。
筐体１１は、内部にスピーカユニットＳＰを収容して保持すると共に、左斜め前方に突出する筒状の音筒部１１ａが形成されている。スピーカユニットＳＰには、コード１３の一端側が電気的に接続されている。
音筒部１１ａには、着脱可能にイヤピース３が取り付けられる。
イヤホン５１は、耳に装着した使用状態において、スピーカユニットＳＰから出力された音を、音筒部１１ａの先端から外耳道内に放出するようになっている。
【００１１】
サポータ２は、シリコーンゴムなどの柔軟性及び弾性を有する材料で形成され、本体部１に対し着脱可能となっている。
サポータ２は、例えば、透明又は透明に近く観察側から見てサポータ２の背後が透けて見えるように形成されている。
【００１２】
図４は、イヤホン５１が備えるサポータ２の後面図である。図５は、サポータ２の一部断面の右側面図である。図４及び図５に示されるように、サポータ２は、基部２１，サポート部２２，及び延在部２３を有する。
基部２１は、環状に形成されており、図２に示すように、コードブッシュ１２よりも前方側の部位に強く嵌め込まれて筐体１１の外面に取り付けられている。
サポート部２２は、図１のように、基部２１から上方に突出し左上方へ湾曲して延びる片持ち部位として形成されている。
【００１３】
図５に示されるように、延在部２３は、前後方向を厚さ方向として薄い短冊状に形成され、基部２１から下方に向け、後面視で直状に延びると共に、前後方向に屈曲する二箇所の屈曲部を有して延在している。
すなわち、延在部２３は、基部２１側から、平板部２３１，根本側屈曲部２３ａ，係合部２３２，先端側屈曲部２３ｂ，及び先端部２３３を有する。
次に、平板部２３１，係合部２３２，及び先端部２３３の詳しい形状を、基部２１を筐体１１に取り付けた状態の態様で説明する。
【００１４】
図２に示されるように、平板部２３１は、基部２１の軸線ＣＬ２１に直交する方向に延在する平板状に形成されている。軸線ＣＬ２１は、基部２１を筐体１１に取り付けた状態で、筐体１１の軸線ＣＬ１１と一致する。
平板部２３１は、基部２１を筐体１１に取り付けた状態で、概ね、コードブッシュ１２に対応した位置で並行して延びる部位である。
【００１５】
係合部２３２は、平板部２３１の下方側先端である根本側屈曲部２３ａで接続し、根本側屈曲部２３ａから下方に向かうに従って後方側に傾斜する平板状部位として形成されている。係合部２３２はコード１３に対しその前方側(頭部側)から後方側へと交わる姿勢で延在し、係合部２３２の下方側先端の前後方向位置は、コードブッシュ１２から延び出るコード１３よりも後方側にある。すなわち、イヤホン５１が使用者の耳介Ｅ（図７）に装着された状態で、係合部２３２は、コード１３よりも使用者の頭部に近い側から延在途中でコード１３と交わってコード１３よりも頭部から遠い側へと延在する。
【００１６】
先端部２３３は、係合部２３２の下方側先端である先端側屈曲部２３ｂで接続し、先端側屈曲部２３ｂから下方に軸線ＣＬ２１に直交する方向に延在する平板状に形成されている。
【００１７】
係合部２３２には、開口部２４１及びスリット２４２を含むコード係合部２４が形成されている。コード係合部２４は、コード１３を係合可能な部位である。
開口部２４１は、例えば上下方向に長い矩形の貫通孔である。スリット２４２は、開口部２４１と係合部２３２の左右一方側の外形縁部である側縁部２３２ａとの間を繋ぐ細い切り込みである。本実施例においてスリット２４２は、図１に示すように右側の側縁部２３２ａに形成されている。
開口部２４１の幅Ｄａ（図４参照）は、コード１３の外径Ｄｂ（図１参照）よりもわずかに小さく形成されている。
【００１８】
サポータ２と本体部１との嵌合構造として、サポータ２の軸線ＣＬ１１まわりの回動を規制する不図示の凹凸係合部が、サポータ２と本体部１との嵌合箇所に形成されている。
凹凸係合部により、サポータ２を本体部１に装着したときに、サポータ２の、軸線ＣＬ１１まわりの周方向位置が決まる。詳しくは、サポータ２の周方向における延在部２３の位置が、延在部２３の延びる方向と耳介Ｅに装着された本体部１のコードブッシュ１２から延び出たコード１３の延びる方向とがほぼ一致する位置になっている。
【００１９】
図２に示されるように、係合部２３２は、根本側から先端側に向かい、コード１３を前側から後側に跨いでいる。また、側縁部２３２ａにおけるスリット２４２の開口位置は、コード１３の延在位置とほぼ一致している。
一方、図１に示されるように、左右方向において、係合部２３２の開口部２４１とコード１３は概ね同じ位置にある。
【００２０】
これにより、コードブッシュ１２から延び出たコード１３を、スリット２４２に、スリット２４２を広げるように変形させて通し、開口部２４１に収めることができる。スリット２４２とコード１３との前後方向位置がほぼ一致していることから、コード１３をスリット２４２を通して開口部２４１に収める作業が容易である。
【００２１】
図１及び図２は、コード１３を開口部２４１に通して収めた状態を示している。
既述のように、開口部２４１は、幅Ｄａがコード１３の外径Ｄｂよりもわずかに小さくコード１３より狭いので、コード１３を開口部２４１に通して収めた状態でコード１３は必ず係合部２３２に接触する。
【００２２】
図２に示されるように、コード１３を下方にまっすぐ延ばした状態で、延在部２３の先端部２３３は、コード１３に対して後方に距離ｄ１だけ離隔した位置にある。
図４及び図５などに示されるように、先端部２３３には、貫通孔２５が形成されている。
先端部２３３がコード１３に対し後方側に離隔していることから、使用者は、装飾具を貫通孔２５に容易に取り付けることができる。
図６は、装飾具の例として、フック６ａを有する吊り下げタイプの耳飾りである装飾具６を、フック６ａを貫通孔２５に引っ掛けてイヤホン５１に取り付けた例を示す後面図である。
また、図６に示されたイヤホン５１は、コードブッシュ１２から延び出たコード１３がコード係合部２４の開口部２４１に通されて係合している。
【００２３】
図７は、使用者の左の耳介Ｅにイヤホン５１を装着した状態を示す斜視図である。このイヤホン５１は、コード１３が、延在部２３におけるコード係合部２４の開口部２４１に係合し、延在部２３の後方側から前方側に通されている。また、装飾具６Ａが先端部２３３の貫通孔２５に取り付けられている。装飾具６Ａは、耳垂Ｅｆに取り付ける、吊り下げタイプではない耳飾りに相当する装飾具である。
図７に示されるように、イヤホン５１を耳介Ｅに装着した状態で、イヤピース３は外耳道(不図示)に挿入され、サポータ２は対耳輪Ｅｂの内側面Ｅｂ１に沿って延びてその内側面Ｅｂ１を外方に適度な力で付勢する。これにより、イヤホン５１の本体部１は、耳介Ｅの耳甲介Ｅｅに安定して保持される。
また、延在部２３は、珠間切痕Ｅｄに対応した位置にあり、先端部２３３は、耳介Ｅの耳垂Ｅｆに対応した位置にある。
【００２４】
このように、イヤホン５１のコード１３は、本体部１に近い位置で柔軟な延在部２３と接触している。これにより、コード１３の延在部２３よりも先端側の部位が服や鞄などと接触しても、その接触により生じた振動は延在部２３に吸収され本体部１に伝達しない。
そのため、イヤホン５１は、装着した耳介Ｅの個人差による形状違いによらず、タッチノイズが低減する。
【００２５】
また、イヤホン５１は、延在部２３に貫通孔２５を有し、貫通孔２５に装飾具などを取り付けることができる。そのため、外出時の着衣とのマッチング、或いは自己アピールなど、目的及び状況に応じた好みの装飾具などを自由に交換して取り付けることができる。これにより、イヤホン５１は、高いファッション性を有する。
【００２６】
以上詳述した実施例は、上述の構成に限定されるものではなく、本発明の要旨を逸脱しない範囲において変形した変形例としてもよい。
【００２７】
延在部２３における係合部２３２は、コード１３を、接触を伴い係合保持するコード係合部２４を有するものであれば、形状は限定されない。例えば、開口部２４１の入り隅となる隅部におけるＲ付の有無は問わない。また、係合部２３２を、傾斜せず軸線ＣＬ１１と平行に延びる部位に変形してもよい。
延在部２３は、着色されていてもよい。例えば、ファッション性を強調する場合は、赤、青、緑などの原色としてもよい。また、延在部２３の存在を他社に意識させないようにする場合は、実施例で説明した透明にするとよい。延在部２３が透明の場合、図７に示される装飾具６Ａは、他者からは空間に浮いた状態で視認されるので、他者に対して延在部２３に取り付けた装飾具６Ａを強調できる。
【００２８】
サポータ２は、サポート部２２を有するものに限定されない。サポート部２２を備えることなく、筐体１１に取り付けられる基部２１及び基部２１から延出する延在部２３のみを有するものであってもよい。
【００２９】
イヤホン５１は、出荷時に、サポータ２が筐体１１に取り付けられているものでなくてもよい。
イヤホン５１は、サポータ２が筐体１１に対し後付で取り付けて連結可能なものとして販売してもよい。また、サポータ２は、コード１３を係合してタッチノイズを低減し装飾具を取り付け可能な単体のコード係合具として販売してもよい。また、サポータ２は、多数の色をラインナップとして揃えて販売するとよい。
これにより、使用者は、使用状況、装着時の気分、などに応じて、サポータ２の装着有無、及び装着する場合の色、を適宜選択してイヤホン５１を使用できる。
サポータ２を取り付け可能な筐体１１の外形を標準化するとよい。
サポータ２の基部２１を閉じた環状ではなく、一部に切り込みを有するＣ字状としてもよい。基部２１をＣ字状とすることで、着脱可能な筐体１１の外形の種類が増えて好ましい。
【００３０】
サポータ２と筐体１１との嵌合構造において、上述の凹凸係合部は形成されていなくてもよい。例えば、サポータ２の筐体１１に対する正しい嵌合位置を把握できるマークなどをサポータ２又は筐体１１に設けておいてもよい。イヤホン５１の製造の際に、サポータ２を、筐体１１に対しマークによる位置合わせをして取り付ける。
【００３１】
コード１３の断面形状は、円形であっても平形であってもよく限定されない。
開口部２４１の形状も限定されない。開口部２４１は、コード１３よりも狭い幅で形成されてコード１３が開口部２４１の縁部に接触するようになっていればよい。
【符号の説明】
【００３２】
１  本体部
１１  筐体
１１ａ  音筒部
１２  コードブッシュ
１３  コード
２  サポータ
２１  基部
２２  サポート部
２３  延在部
２３ａ  根本側屈曲部
２３ｂ  先端側屈曲部
２３１  平板部
２３２  係合部
２３２ａ  側縁部
２３３  先端部
２４  コード係合部
２４１  開口部
２４２  スリット
２５  貫通孔
３  イヤピース
６，６Ａ  装飾具
６ａ  フック
５１  イヤホン
ＣＬ１１，ＣＬ２１  軸線
Ｄａ  幅
Ｄｂ  外径
ｄ１  距離
Ｅ  耳介
Ｅｂ  対耳輪
Ｅｂ１  内側面
Ｅｄ  珠間切痕
Ｅｅ  耳甲介
Ｅｆ  耳垂
ＳＰ  スピーカユニット
【図１】
2020053853.tif 000003
【図２】
2020053853.tif 000004
【図３】
2020053853.tif 000005
【図４】
2020053853.tif 000006
【図５】
2020053853.tif 000007
【図６】
2020053853.tif 000008
【図７】
2020053853.tif 000009